(57)【要約】【課題】ユーザが効率よく所望のコンテンツデータを探すことが可能なコンテンツデータ表示制御装置を提供すること。【解決手段】コンテンツデータ表示制御装置１００は、コンテンツデータ記録部１０と、検索対象管理部２０と、検索済み属性履歴記憶部３０と、表示属性決定部４０と、表示部５０と、検索条件入力部６０と、コンテンツデータ検索部７０とを備え、表示属性決定部４０は、検索済み属性履歴記憶部３０に記憶されている情報に基づいて表示属性を決定し、表示部５０はその表示属性を画面に表示することで、コンテンツデータの複数の属性を組み合わせたＡＮＤ検索による絞込み検索において、絞り込み状況に応じたコンテンツデータ一覧を表示することができる。【選択図】図１
2006260349.tif 000002
【特許請求の範囲】
【請求項１】
コンテンツに関する属性と属性に対応する属性値の組を１つ以上持つコンテンツデータを複数記録するコンテンツデータ記録部と、
検索対象となる前記コンテンツデータを管理する検索対象管理部と、
検索に用いられた属性の履歴を記憶する検索済み属性履歴記憶部と、
検索対象となる前記コンテンツデータの各属性のうち画面に表示する属性を決定する表示属性決定部と、
前記表示属性決定部により決定した属性と属性に対応する属性値を画面に表示する表示部と、
検索に用いる属性および属性値を入力する検索条件入力部と、
検索対象であるコンテンツデータの中から、前記検索条件入力部によって指定された属性値に合致した属性値を持つ前記コンテンツデータを全て抽出し、抽出した結果に基づき前記検索対象管理部で管理されている情報を更新するコンテンツデータ検索部を備えることを特徴とするコンテンツデータ表示制御装置。
【請求項２】
前記表示属性決定部は、各属性に設定される優先度に基づいて、画面に表示する属性を決定することを特徴とする請求項１記載のコンテンツデータ表示制御装置。
【請求項３】
前記表示属性決定部は、各属性に設定される優先度と、各属性においてその属性を表示するのに必要な画面領域の大きさに基づいて、画面に表示する属性を決定することを特徴とする請求項１記載のコンテンツデータ表示制御装置。
【請求項４】
前記優先度は、前記検索済み属性履歴記憶部に記憶された属性の履歴に基づいて設定されることを特徴とする請求項２または３記載のコンテンツデータ表示制御装置。
【請求項５】
前記優先度は、前記検索済み属性履歴記憶部に記憶された属性の履歴と、各コンテンツデータが持つ属性の有無に基づいて設定することを特徴とする請求項２または３記載のコンテンツデータ表示制御装置。
【請求項６】
前記優先度は、前記検索済み属性履歴記憶部に記憶された属性の履歴と、外部から設定される値に基づいて設定することを特徴とする請求項２または３記載のコンテンツデータ表示制御装置。
【請求項７】
前記優先度は、前記検索済み属性履歴記憶部に記憶された属性の履歴と、各コンテンツデータが持つ属性の有無と、外部から設定される値に基づいて設定することを特徴とする、請求項２または３記載のコンテンツデータ表示制御装置。
【発明の詳細な説明】
【技術分野】
【０００１】
本発明は、コンテンツデータを検索し、検索結果を画面に表示する、コンテンツデータ表示制御装置に関する。
【背景技術】
【０００２】
近年、ＴＶ番組等のコンテンツデータを録画・保存するハードディスク搭載のデジタルＡＶレコーダにおいて、ハードディスクの大容量化が進んでいる。それに伴い、保存できるコンテンツデータの数が増大しており、場合によっては数百に及ぶこともある。このようなハードディスク搭載のデジタルＡＶレコーダを使用するユーザは、再生したいコンテンツデータを探す時は、録画日時やチャンネル情報などが表示されたコンテンツデータの属性情報の一覧から、所望のコンテンツデータを探し出すことが一般的である。しかし、ユーザが数百に及ぶコンテンツデータの一覧から所望のコンテンツデータを探し出すのは困難である。
【０００３】
そこで、画面上に複数のコンテンツデータの情報と、コンテンツデータを分類する複数のカテゴリを表示し、その中のあるカテゴリがユーザによって選択されると、選択されたカテゴリに該当するコンテンツデータの情報と、選択されたカテゴリの下位カテゴリである複数のカテゴリを表示することで、ユーザがコンテンツデータの絞込みを行い、所望のコンテンツデータを探す方法があった（例えば、特許文献１参照）。
【特許文献１】特開２００４−２２０４０５号公報
【発明の開示】
【発明が解決しようとする課題】
【０００４】
しかしながら、特許文献１の方法では、絞り込みに使うカテゴリが階層化されており、その階層を下っていくことでしか絞込みができない。つまり、カテゴリＡ、Ｂがあり、カテゴリＡの下位カテゴリがＡ１、Ａ２で、カテゴリＢの下位カテゴリがＢ１、Ｂ２であった場合、ユーザは一旦カテゴリＡを選択すると、次はカテゴリＡの下位カテゴリであるＡ１またはＡ２を選択して絞込みを行うしかなく、カテゴリＢ１など、階層の上下関係にないカテゴリを組み合わせて絞込みを行うことができない。
【０００５】
また、一般にデジタルＡＶ機器で表示する画面は、ＰＣで表示する画面に比べて低解像度であるため、コンテンツデータの一覧として画面に一度に表示できる情報量も限られてしまう。
【０００６】
本発明は、前記従来の課題を解決するもので、階層化されたカテゴリではなく、コンテンツデータの任意の複数の属性を組み合わせたＡＮＤ検索による絞込みを可能にするとともに、絞り込み状況に応じたコンテンツデータ一覧画面を表示させることで、ユーザが効率よく所望のコンテンツデータを探し出すことができるコンテンツデータ表示制御装置を提供することを目的とする。
【課題を解決するための手段】
【０００７】
上記課題を解決するため、本発明のコンテンツデータ表示制御装置は、コンテンツに関する属性と属性に対応する属性値の組を１つ以上持つコンテンツデータを複数記録するコンテンツデータ記録部と、検索対象となる前記コンテンツデータを管理する検索対象管理部と、検索に用いられた属性の履歴を記憶する検索済み属性履歴記憶部と、検索対象となる前記コンテンツデータの各属性のうち画面に表示する属性を決定する表示属性決定部と、前記表示属性決定部により決定した属性と属性に対応する属性値を画面に表示する表示部と、検索に用いる属性および属性値を入力する検索条件入力部と、検索対象であるコンテンツデータの中から、前記検索条件入力部によって指定された属性値に合致した属性値を持つ前記コンテンツデータを全て抽出し、抽出した結果に基づき前記検索対象管理部で管理されている情報を更新するコンテンツデータ検索部を備えることを特徴とし、コンテンツデータの複数の属性を組み合わせたＡＮＤ検索による絞込みを可能にするとともに、絞り込み状況に応じたコンテンツデータ一覧を表示することができる。
【発明の効果】
【０００８】
本発明のコンテンツデータ表示制御装置によれば、コンテンツデータの複数の属性を組み合わせたＡＮＤ検索による絞込みが可能にするとともに、表示属性決定部により絞り込み状況に応じたコンテンツデータ一覧画面を表示させることで、ユーザは所望のコンテンツデータを効率よく探し出すことができる。
【発明を実施するための最良の形態】
【０００９】
以下、本発明の実施の形態を、図面を参照しながら説明する。
【００１０】
図１は、本発明の実施の形態にかかるコンテンツデータ表示制御装置１００の構成を示している。
【００１１】
このコンテンツデータ表示制御装置１００は、ＴＶ番組等のコンテンツに関する属性と属性に対応する属性値の組を１つ以上持つコンテンツデータを複数記録しておくコンテンツデータ記録部１０と、検索対象となるコンテンツデータの集合を管理する検索対象管理部２０と、検索に用いられた属性の履歴を記憶する検索済み属性履歴記憶部３０と、検索対象となるコンテンツデータの各属性のうち画面に表示する属性を決定する表示属性決定部４０と、表示属性決定部４０により決定した属性と属性に対応する属性値を画面に表示する表示部５０と、検索に用いる属性および属性値を入力する検索条件入力部６０と、検索対象であるコンテンツデータの中から、検索条件入力部６０によって指定された属性値に合致した属性値を持つコンテンツデータを全て抽出し、抽出した結果に基づき検索対象管理部２０で管理されている情報を更新するコンテンツデータ検索部７０、から構成される。
【００１２】
コンテンツデータ記録部１０は、ＴＶ番組などを録画などすることにより、複数のコンテンツデータを記録保存する。また。これら記録している各コンテンツデータに関する情報として、１つ以上の属性と属性に対応する属性値の組を記録している。具体的には、後に図２を用いて説明する。
【００１３】
検索対象管理部２０は、コンテンツデータ記録部１０が記録しているコンテンツデータのうち、検索対象となっているコンテンツデータを識別できるように管理する。検索対象管理部２０は、検索対象テーブルを記憶しており、この情報を用いて管理を行う。検索対象テーブルの詳細については、後に図４を用いて説明する。
【００１４】
検索済み属性履歴記憶部３０は、コンテンツデータ記録部１０が記録しているコンテンツデータの検索に用いられた属性の履歴を検索済み属性テーブルとして記憶する。検索済み属性テーブルの詳細については、後に図６を用いて説明する。
【００１５】
表示属性決定部４０は、コンテンツデータの各属性のうちどの属性を画面に表示するかを、検索済み属性履歴記憶部３０に記憶されている、検索に用いられた属性の履歴（検索済み属性テーブル）を用いて決定する。表示属性決定部４０は、属性優先度テーブルを記憶しており、画面に表示する属性を決定する際に、この情報を使用する。属性優先度テーブルの詳細については、後に図５を用いて説明する。
【００１６】
表示部５０は、コンテンツデータ記録部１０が記録しているコンテンツデータのうち、検索対象管理部２０が管理している検索対象となっているコンテンツデータそれぞれについて、表示属性決定部４０により決定された属性とその属性に対応する属性値を画面に表示する。
【００１７】
検索条件入力部６０は、コンテンツデータ記録部１０が記録しているコンテンツデータのうち、検索対象管理部２０が管理している検索対象となっているコンテンツデータの中から、検索に用いる属性および属性値を決定するための入力部である。
【００１８】
コンテンツデータ検索部７０は、検索条件入力部６０により入力された属性値に合致した属性値を持つコンテンツデータを、コンテンツデータ記録部１０が記録しているコンテンツデータのうち、検索対象管理部２０が管理している検索対象となっているコンテンツデータの中から全て抽出し、抽出した結果に基づき検索対象管理部２０で管理されている情報を更新する。
【００１９】
次に、本実施の形態においてコンテンツデータ表示制御装置１００で用いる属性について具体例を示して説明する。
【００２０】
図２は、コンテンツデータ記録部１０に記録されているコンテンツデータの属性と属性に対する属性値の例である。図２に示すように、各コンテンツデータは「ＩＤ（コンテンツ識別子）」、「日付」、「曜日」、「ＣＨ（チャンネル）」、「録画開始」、「ジャンル」、「題名」、「副題」、「出演者」等の属性を持ち、それぞれの属性に対して属性値を持つ。ただし、必ずしも全てのコンテンツデータが全ての属性に対する属性を持つとは限らない。例えば図２では、「ＩＤ」が１、５、６、８、１０のコンテンツデータには、「副題」に対する属性値がなく、「ＩＤ」が３、８のコンテンツデータには「出演者」に対する属性値がない。また、コンテンツデータは属性「ＩＤ」によって一意に決定され、各属性情報と実際のＡＶ（オーディオ・ビデオ）データとはＩＤに基づいて関連付けされている。
【００２１】
以下、本実施の形態における、コンテンツデータ表示制御装置１００の動作について説明する。
【００２２】
図３は、コンテンツデータ表示制御装置１００の絞り込みを行いながらコンテンツデータ一覧を表示する処理の流れを示すフローチャートである。まず、コンテンツデータ表示制御装置１００は、コンテンツデータ一覧の表示要求を受け取り、処理を開始する。
【００２３】
ステップＳ１において、コンテンツデータ表示制御装置１００は初期化処理を行う。この初期化処理では、検索対象管理部２０が記憶する、各コンテンツデータが検索対象かどうかを示す検索対象テーブルと、表示属性決定部４０が記憶する、コンテンツデータの属性毎の優先度を示す属性優先度テーブル、および検索済み属性履歴記憶部３０が記憶する、検索済み属性テーブルの初期化を行う。
【００２４】
初期化した検索対象テーブルの例を図４に示す。検索対象テーブルは、ＩＤ（コンテンツ識別子）と、そのＩＤを持つコンテンツデータに関する検索対象情報を保持している。図４において、「検索対象」が「○」であるＩＤを持つコンテンツデータは検索対象であり、「検索対象」が「×」であるＩＤを持つコンテンツデータは検索対象ではないことを示す。ステップＳ１での初期化処理後は、図４のように全てのコンテンツデータが検索対象となる。
【００２５】
また、初期化した属性優先度テーブルの例を図５に示す。属性優先度テーブルは、コンテンツデータの属性（「ＩＤ」、「日付」、「曜日」など）と、その属性に対する優先度情報を保持している。図５において、「優先度」は画面に表示する属性を決めるために用いられる、属性ごとの優先度であり、−１を除いて値が小さいほど優先度が高い。また−１は最低優先度を表すものとする。本実施の形態では、初期化すると図５のような値に設定されるとする。
【００２６】
さらに、初期化した検索済み属性テーブルの例を図６に示す。検索済み属性テーブルには、検索に用いられた属性が順番に登録されていく。初期化すると、図６のように中身は空（「ＮＵＬＬ」は空を示す）になる。
【００２７】
図３のステップＳ２において、表示属性決定部４０が、複数あるコンテンツデータの属性のうち、どの属性を画面に表示するかを決定する。ステップＳ２の表示属性決定処理の内容の詳細を示したのが図７のフローチャートである。表示属性決定部４０は、まず検索済み属性テーブルの内容に基づき、属性優先度テーブルの各属性の優先度を更新する（ステップＳ１１）。ここでは、検索済み属性テーブルに登録してある属性の優先度は−１に更新することとする。図６の検索済み属性テーブルでは、検索済み属性テーブルの中身は空であるため、図５の属性優先度テーブルは全てそのままである。次に、更新された属性優先度テーブルの内容を、優先度が高い順にソートする（ステップＳ１２）。次に優先度が１番高いものから順にＮ番目までを表示属性と決定する（ステップＳ１３）。本実施の形態では、Ｎ＝４とする。その結果、図５の属性優先度テーブルと図６の検索済み属性テーブルに基づいて決定される表示属性は、「日付」「曜日」「ジャンル」「題名」となる。
【００２８】
表示属性が決定されると、図３のステップＳ３において、表示部５０は、検索対象テーブルで検索対象となっている各コンテンツデータについて、表示属性となった属性と、属性に対する属性値を画面に表示する。例えば、図４の検索対象テーブルで検索対象になっている各コンテンツデータについて、図５の属性優先度テーブルと図６の検索済み属性テーブルから求めた表示属性を画面に表示した結果の例を図８に示す。
【００２９】
次に、図３のステップＳ４において、検索条件入力部６０は、ユーザによる検索属性の入力を受け付ける。そしてステップＳ５において入力された値を判定し、入力された値が属性名（「日付」、「曜日」等）であった場合は、ステップＳ６に進む。入力された値が属性名ではなかった場合（例えばコンテンツ再生指定など）、コンテンツデータ表示制御装置１００の処理は終了する。
【００３０】
次にコンテンツデータ表示制御装置１００は、ステップＳ６において、検索条件入力部６０に入力された属性を、検索済み属性履歴記憶部３０で記憶している検索済み属性テーブルに登録する。
【００３１】
次にコンテンツデータ表示制御装置１００は、ステップＳ７において、検索対象になっているコンテンツデータに含まれる、検索条件入力部６０によって指定された属性に対する属性値の一覧を表示部５０により表示する。図９は、ユーザが検索条件入力部６０によって「曜日」を指定した結果、表示部５０によって表示された属性値一覧画面１０００を含んだ画面を示す。また図１０は、検索条件入力部６０によって「曜日」が指定され、ステップＳ６終了後の検索済み属性テーブルを示す。
【００３２】
次に検索条件入力部６０は、図３のステップＳ８において、ユーザによる検索属性値の入力を受け付ける。そしてステップＳ９において、コンテンツデータ検索部７０は、検索条件入力部６０に入力された属性値を検索キーとし、検索対象テーブルで検索対象となっているコンテンツデータから、検索キーと一致する属性値を持つコンテンツデータを全て抽出し、ステップＳ１０において、抽出したコンテンツデータのみを新たな検索対象とするように検索対象テーブルを更新する。図１１は、属性値「日」で検索が行われた場合の、更新後の検索対象テーブルである。
【００３３】
その後も、図３のステップＳ２〜ステップＳ１０の処理を、ステップＳ５で属性名以外の値が入力されない限り繰り返す。例として、検索対象テーブルが図１１のようになった後、図３のステップＳ２で表示属性を決定するために更新した属性優先度テーブルを図１２に、ステップＳ２で決定した表示属性に基づいてコンテンツデータ表示部５０が表示する画面を図１３に示す。この図１３が、属性「曜日」、属性値「日」で絞込みを行った結果のコンテンツデータ一覧画面ということになる。
【００３４】
さらに図１３が表示されている時に属性「題名」、属性値「２２２２２」を指定した後の検索済み属性テーブルを図１４に、検索を行った結果の、更新後の検索対象テーブルを図１５に、その後ステップＳ２で表示属性を決定するために更新した属性優先度テーブルを図１６に、図３のステップＳ２で決定した表示属性に基づいてコンテンツデータ表示部５０が表示する画面を図１７に示す。
【００３５】
以上により、コンテンツデータ表示制御装置１００により、コンテンツデータの複数種類の属性のＡＮＤ検索によるコンテンツデータの絞込みが可能となる。
【００３６】
また、図３のステップＳ２において、検索済み属性テーブルに登録されている属性に応じて属性ごとの優先度を更新することにより、例えば図８では表示されていた属性「曜日」が、図１３では表示されず、代わりに属性「ＣＨ」が表示される。このように、既に検索を行った属性の代わりにまだ検索されていない属性を新たに表示するなどができるので、絞込みの状況に応じたコンテンツデータの一覧を表示することができ、ユーザは効率良くコンテンツデータの絞込みを行うことができる。
【００３７】
なお、表示属性決定部４０が記憶する属性優先度テーブルにおいて、図１８のように「優先度」とともに「必要表示領域」を加えても良い。この「必要表示領域」は、その属性情報を画面に表示する際に最低限必要な画面上の表示領域を、全表示領域に対する比で示したものである。図１８のような属性優先度テーブルを用いる場合の、図３でのステップＳ２での表示属性決定処理の内容の詳細を示したのが図１９のフローチャートである。表示属性決定部４０は、まず検索済み属性テーブルの内容に基づき、属性優先度テーブルの各属性の優先度を更新する（ステップＳ２１）。ここでは、検索済み属性テーブルに登録してある属性の優先度は−１に更新することとする。次に、更新された属性優先度テーブルの内容を、優先度が高い順にソートする（ステップＳ２２）。次に表示属性決定部４０が保持する内部カウンタｉとｈｙｏｕｊｉを初期化し（ステップＳ２３）、内部カウンタｉ番目に優先度が高い属性の必要表示領域の値を内部カウンタｈｙｏｕｊｉに加算し（ステップＳ２４）、その総和（内部カウンタｈｙｏｕｊｉの値）が１を超えるか否かを判断する（ステップＳ２５）。１を越えない場合（ステップＳ２５がＮ）、内部カウンタｉが保持する属性の種類数と合致するか否かを判定し（ステップＳ２６）、合致する場合（ステップＳ２６がＹ）、全ての属性の必要表示領域の加算が終了したと判断し、全ての属性が表示属性と決定して処理を終了する（ステップＳ２９）。一方、合致しない場合（ステップＳ２６がＮ）、内部カウンタｉに１を加算し（ステップＳ２７）、ステップＳ２４に遷移して、内部カウンタｈｙｏｕｊｉの値が１を超えるまで処理を繰り返す。１を超える場合（ステップＳ２５がＹ）、１を超える前の（ｉ−１）番目の優先度が高い属性までを表示属性と決定する（ステップＳ２８）。
【００３８】
その結果、図１８の属性優先度テーブルと図６の検索済み属性テーブルに基づいて決定される表示属性は、「日付」「曜日」「ジャンル」となる。この場合、表示属性決定部４０において、画面での全表示領域内に収まるように表示属性が決定されているので、１つの画面内に、表示属性が全て表示される。例えば、図４の検索対象テーブルで検索対象になっている各コンテンツデータについて、図１８の属性優先度テーブルと図６の検索済み属性テーブルから求めた表示属性を画面に表示した結果の例を図２０に示す。図２０では、検索対象となるコンテンツデータ数が多いため画面に収まらなかったコンテンツデータを見るために垂直スクロールバーを表示しているが、表示属性は全て表示しているため、水平スクロールバーを表示する必要がない。よって、画面の表示領域を有効に利用したコンテンツデータの一覧を表示することができ、ユーザは効率良くコンテンツデータの絞込みを行うことができる。
【００３９】
また、検索対象管理部２０が検索対象となるコンテンツデータの集合を管理する方法として、検索対象テーブルを用いているが、検索対象となるコンテンツデータの特定ができれば良いので、必ずしも検索対象テーブルを用いる必要はなく、例えば検索対象管理部２０は検索対象となるコンテンツデータの集合そのものを、コンテンツデータ記録部１０から移動またはコピーして記憶し、検索対象となるコンテンツデータの特定を行えるようにするなどでも良い。
【００４０】
また、図３において、検索済み属性テーブルの更新処理をステップＳ６としたが、この処理は、ステップＳ５終了後から次の表示属性決定処理（ステップＳ２またはステップＳ１０）までの間に行えばよい。
【００４１】
また、図７の表示属性決定処理のステップＳ１１において、検索済み属性テーブルに登録されている属性については、優先度を−１に更新するとしたが、検索済み属性テーブルに登録されている属性についての優先度への反映方法はこの限りではなく、例えば優先度を１０下げるなどでもよい。
【００４２】
また、図１９の表示属性決定処理において、優先度が高い属性順に必要表示領域を加算していき、その総和が１を超えない時点までの属性を表示属性としたが、属性の優先度と必要表示領域に基づく表示属性の決定方法はこの限りではない。例えば、優先度が高い属性順に必要表示領域を加算していき、ｉ番目の属性の必要表示領域を加算することで総和が１を超えた場合、ｉ番目の属性を飛ばしてｉ＋１番目の属性の必要領域を加算していき、総和が１を超えない時点までの属性を表示属性とするなどでもよい。
【００４３】
また、各属性の優先度は検索済み属性テーブルに登録されている属性に応じて更新するとしたが、さらに、各属性についてどれくらいの数のコンテンツデータがその属性に対する属性値を持つかという情報や、各属性について外部から指定された値も合わせて優先度を更新するようにしてもよい。
【００４４】
また、検索条件入力部によって属性や属性値を入力する方法は、コンテンツデータ一覧画面において属性を指定し、その後表示部によって表示される属性値一覧画面において属性値を指定するとしたが、コンテンツデータ一覧画面に表示されている属性と、その属性に含まれる属性値を指定できれば良いのでこの限りではない。
【００４５】
また、コンテンツデータ一覧画面（図８、図９、図１３、図１７、図２０）において、属性の並び順は優先度の高い順に左から表示しているが、必ずしも優先度順に並べる必要はない。
【００４６】
また、コンテンツデータ一覧画面の表示方法は、各コンテンツデータにおいて表示属性に決定した属性とその属性に対する属性値を表示できればよく、必ずしも図８、図９、図１３、図１７、図２０のような表形式にする必要はない。
【産業上の利用可能性】
【００４７】
本発明にかかるコンテンツデータ表示制御装置は、コンテンツデータの複数の属性を組み合わせたＡＮＤ検索による絞込みを可能にするとともに、絞り込み状況に応じたコンテンツデータ一覧画面を表示させることで、所望のコンテンツデータを効率よく探し出すことができるという効果を有し、コンテンツデータに関する情報を一覧表示する機能を備えたデジタルＡＶ機器やモバイル機器等として有用である。また、情報機器や車載機器などの用途にも応用できる。
【図面の簡単な説明】
【００４８】
【図１】本発明の実施の形態におけるコンテンツデータ表示制御装置の構成を示すブロック図
【図２】本発明の実施の形態におけるコンテンツデータ記録部１０に記録されている各コンテンツデータの属性と属性値の例を示す図
【図３】本発明の実施の形態におけるコンテンツデータ表示制御装置のコンテンツデータ一覧を表示する処理の流れを示すフローチャート
【図４】本発明の実施の形態における検索対象テーブルの例を示す図
【図５】本発明の実施の形態における属性優先度テーブルの例を示す図
【図６】本発明の実施の形態における検索済み属性テーブルの例を示す図
【図７】本発明の実施の形態における表示属性決定処理の流れを示すフローチャート
【図８】本発明の実施の形態におけるコンテンツデータ一覧の表示画面の例を示す図
【図９】本発明の実施の形態における属性値一覧画面を含んだコンテンツデータ一覧の表示画面の例を示す図
【図１０】本発明の実施の形態における検索済み属性テーブルの例を示す図
【図１１】本発明の実施の形態における検索対象テーブルの例を示す図
【図１２】本発明の実施の形態における属性優先度テーブルの例を示す図
【図１３】本発明の実施の形態におけるコンテンツデータ一覧の表示画面の例を示す図
【図１４】本発明の実施の形態における検索済み属性テーブルの例を示す図
【図１５】本発明の実施の形態における検索対象テーブルの例を示す図
【図１６】本発明の実施の形態における属性優先度テーブルの例を示す図
【図１７】本発明の実施の形態におけるコンテンツデータ一覧の表示画面の例を示す図
【図１８】本発明の実施の形態における属性優先度テーブルの例を示す図
【図１９】本発明の実施の形態における表示属性決定処理の流れを示すフローチャート
【図２０】本発明の実施の形態におけるコンテンツデータ一覧の表示画面の例を示す図
【符号の説明】
【００４９】
１００    コンテンツデータ表示制御装置
１０    コンテンツデータ記録部
２０    検索対象管理部
３０    検索済み属性履歴記憶部
４０    表示属性決定部
５０    表示部
６０    検索条件入力部
７０    コンテンツデータ検索部
【図１】
2006260349.tif 000003
【図２】
2006260349.tif 000004
【図３】
2006260349.tif 000005
【図４】
2006260349.tif 000006
【図５】
2006260349.tif 000007
【図６】
2006260349.tif 000008
【図７】
2006260349.tif 000009
【図８】
2006260349.tif 000010
【図９】
2006260349.tif 000011
【図１０】
2006260349.tif 000012
【図１１】
2006260349.tif 000013
【図１２】
2006260349.tif 000014
【図１３】
2006260349.tif 000015
【図１４】
2006260349.tif 000016
【図１５】
2006260349.tif 000017
【図１６】
2006260349.tif 000018
【図１７】
2006260349.tif 000019
【図１８】
2006260349.tif 000020
【図１９】
2006260349.tif 000021
【図２０】
2006260349.tif 000022